(57)【特許請求の範囲】
【請求項１】
第１の床から当該第１の床よりも高い位置にある第２の床まで延びる階段について、
当該階段は、昇降方向に沿って、上り階段部と下り階段部とに区画され、
前記上り階段部の踏面は、当該上り階段部の踏面に隣り合う下り階段部の踏面よりも高い位置にあり、前記上り階段部の踏面と前記下り階段部の踏面との間には、段差が形成され、
前記第２の床の前記上り階段部寄りの位置には、上方に突出する突部が形成され、
当該突部は、前記第２の床の上の水を前記下り階段部に誘導し、前記段差は、前記下り階段部の水が前記上り階段部側に流れ込むのを防止することを特徴とする階段構造。
【請求項２】
前記階段は、前記上り階段部に隣接して側溝を備え、
当該側溝と前記上り階段部の踏面との境界には、前記上り階段部の踏面から所定高さを有する側溝仕切壁が設けられることを特徴とする請求項１に記載の階段構造。
【請求項３】
第１の床から当該第１の床よりも高い位置にある第２の床まで延びて、昇降方向に沿って上り階段部と下り階段部とに区画された既存の階段と、
当該上り階段部の各段を覆う被覆部材と、を備え、
前記被覆部材の上面は、前記上り階段部の新たな踏面となり、
当該上り階段部の新たな踏面と当該新たな踏面に隣り合う下り階段部の踏面との間には、段差が形成され、
前記第２の床の前記上り階段部寄りの位置には、上方に突出する突部が形成され、
当該突部は、前記第２の床の上の水を前記下り階段部に誘導し、前記段差は、前記下り階段部の水が前記上り階段部側に流れ込むのを防止することを特徴とする階段構造。
【請求項４】
前記被覆部材は、前記上り階段部の幅方向に略水平に延びる平板状の水平部を備え、
当該水平部は、前記上り階段部の踏面に当接して配置されることを特徴とする請求項３に記載の階段構造。
【請求項５】
前記第１の床の前記上り階段部側と前記下り階段部側との境界には、当該第１の床の床面から所定高さを有する床仕切壁が設けられることを特徴とする請求項１から４のいずれかに記載の階段構造。
【発明の詳細な説明】
【技術分野】
【０００１】
本発明は、階段構造に関する。詳しくは、地下から地上に向かう階段の構造に関する。
【背景技術】
【０００２】
従来より、地下街や地下道には、地下から地上出入口に通じる階段が設けられる。
大雨が発生すると、この階段を通って地下に水が流れ込み、地下が浸水するおそれがある。この場合、地下にいる人々は、この地上に繋がる階段を上って、迅速に地上に避難する必要があるが、階段に水が流れているため、階段で滑って転倒するおそれがある。
【０００３】
この問題を解決するため、例えば、階段の踏面に浅い横溝および縦溝を設け、さらに、階段の蹴上げにも浅い段溝を設ける階段構造が提案されている（特許文献１参照）。
この階段構造によれば、踏面に水が流れても、この水は横溝および縦溝を介して集められ、段溝を通って下方に排出される。したがって、避難者が滑って転倒するのを防止できる。
【先行技術文献】
【特許文献】
【０００４】
【特許文献１】特開２００４−１９７３１６号公報
【発明の概要】
【発明が解決しようとする課題】
【０００５】
ところで、洪水やゲリラ豪雨のような激しい雨により、階段に大量の水が流入すると、特許文献１に示すような浅い溝では水を排出しきれず、溝から水が溢れ出てしまう。そのため、避難者は地下に流れ込む水に逆らって階段を上るようになり、流れ込む水で足元をすくわれたり、足元が見えづらくなって転倒したりするため、迅速に避難できないおそれがあった。
【０００６】
本発明は、大量の水が階段に流入しても、地下にいる人々が迅速に地上に避難できる階段構造を提供することを目的とする。
【課題を解決するための手段】
【０００７】
請求項１に記載の階段構造は、第１の床から当該第１の床よりも高い位置にある第２の床まで延びる階段について、当該階段は、昇降方向に沿って、上り階段部と下り階段部とに区画され、前記上り階段部の踏面は、当該上り階段部の踏面に隣り合う下り階段部の踏面よりも高い位置にあり、前記上り階段部の踏面と前記下り階段部の踏面との間には、段差が形成され、前記第２の床の前記上り階段部寄りの位置には、上方に突出する突部が形成され、当該突部は、前記第２の床の上の水を前記下り階段部に誘導し、前記段差は、前記下り階段部の水が前記上り階段部側に流れ込むのを防止することを特徴とする。
【０００８】
この発明によれば、上り階段部の踏面と下り階段部の踏面との間に段差を形成し、第２の床の上り階段部寄りの位置に突部を形成した。よって、第２の床の上の水は、突部により下り階段部に誘導され、この下り階段部に誘導された水は、段差により、上り階段部を流れず、上り階段部よりも低い下り階段部を流れる。これにより、避難者は上り階段部を上ることで、流れ込む水で足元をすくわれたり、足元が見えづらくなって転倒したりするのを防いで、迅速に避難できる。
【０００９】
請求項２に記載の階段構造は、前記上り階段部に隣接して側溝を備え、当該側溝と前記上り階段部の踏面との境界には、前記上り階段部の踏面から所定高さを有する側溝仕切壁が設けられることを特徴とする。
【００１０】
この発明によれば、側溝を設けたので、第２の床から階段に流入する水の一部は、側溝を流れて第１の床に流れる。よって、階段の幅が狭くても、階段に流入する水を確実に排水できる。
【００１１】
請求項３に記載の階段構造は、第１の床から当該第１の床よりも高い位置にある第２の床まで延びて、昇降方向に沿って上り階段部と下り階段部とに区画された既存の階段と、当該上り階段部の各段を覆う被覆部材と、を備え、当該被覆部材の上面は、前記上り階段部の新たな踏面となり、当該上り階段部の新たな踏面と当該新たな踏面に隣り合う下り階段部の踏面との間には、段差が形成され、前記第２の床の前記上り階段部寄りの位置には、上方に突出する突部が形成され、当該突部は、前記第２の床の上の水を前記下り階段部に誘導し、前記段差は、前記下り階段部の水が前記上り階段部側に流れ込むのを防止することを特徴とする。
【００１２】
請求項４に記載の階段構造は、前記被覆部材は、前記上り階段部の幅方向に略水平に延びる平板状の水平部を備え、当該水平部は、前記上り階段部の踏面に当接して配置されることを特徴とする。
【００１３】
この発明によれば、既存の階段に被覆部材を取り付け、この被覆部材の上面を上り階段部の新たな踏面とした。さらに、上り階段部の新たな踏面と下り階段部の踏面との間に段差を形成し、第２の床の上り階段部寄りの位置に突部を形成した。よって、第２の床の上の水は、突部により下り階段部に誘導され、下り階段部に誘導された水は、段差により、上り階段部を流れず、上り階段部よりも低い下り階段部を流れる。これにより、避難者は上り階段部を上ることで、流れ込む水で足元をすくわれたり、足元が見えづらくなって転倒したりするのを防いで、迅速に避難できる。
【００１４】
また、予め被覆部材を製作しておき、この被覆部材を運搬して既存の階段の各段に取り付けるだけで、上り階段部に流入した水を下り階段部に排水できるので、建物の改修工事に容易に適用できる。
【００１５】
請求項５に記載の階段構造は、前記第１の床の前記上り階段部側と前記下り階段部側との境界には、当該第１の床の床面から所定高さを有する床仕切壁が設けられることを特徴とする。
【００１６】
下り階段部に排出される水量が多くなると、下り階段部に排出された水が再び上り階段部に流れ込むおそれがある。
しかしながら、この発明によれば、第１の床の上り階段部側と下り階段部側との境界に床仕切壁を設けたので、この床仕切壁により、下り階段部に排出された水が再び上り階段部に流れ込むのを防止できる。
【発明の効果】
【００１７】
本発明によれば、第２の床の上の水は、上り階段部を流れず、上り階段部よりも低い下り階段部を流れる。よって、避難者は上り階段部を上ることで、流れ込む水で足元をすくわれたり、足元が見えづらくなって転倒したりするのを防いで、迅速に避難できる。
【図面の簡単な説明】
【００１８】
【図１】本発明の第１実施形態に係る階段の斜視図である。
【図２】本発明の第２実施形態に係る階段の斜視図である。
【発明を実施するための形態】
【００１９】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る階段１の斜視図である。
階段１は、地下から地上出入口に向かう鉄筋コンクリート造の階段であり、第１の床２から第１の床２よりも高い位置にある第２の床３まで延びている。
【００２０】
階段１の各段１０は、踏面１１と蹴上面１２とで構成された凸部となっている。また、この階段１は、昇降方向に沿って上り階段部２０と下り階段部３０とに区画されている。
【００２１】
階段１の踏面１１は、上り階段部２０の踏面２１と下り階段部３０の踏面３１とに区画されている。また、階段１の蹴上面１２も、上り階段部２０の蹴上面２２と下り階段部３０の蹴上面３２とに区画される。
上り階段部２０の踏面１１は、この踏面２１に隣り合う下り階段部３０の踏面３１よりも一段高くなっており、上り階段部２０の踏面２１と下り階段部３０の踏面３１との間には、段差４０が形成される。
【００２２】
また、第２の床３の上り階段部２０寄りの位置には、上方に突出して上り階段部２０の幅方向に延びる突部４１が形成されている。
【００２３】
また、第１の床２の上り階段部２０側と下り階段部３０側との境界には、第１の床２の床面から所定高さを有する鉄筋コンクリート造の床仕切壁４が設けられている。この床仕切壁４は、最下段の上り階段部２０の踏面２１に連続して設けられる。
【００２４】
また、上り階段部２０に隣接して側溝５が設けられている。この側溝５と上り階段部２０の踏面２１との境界には、上り階段部２０の踏面２１から所定高さを有する側溝仕切壁６が設けられる。
【００２５】
以上の階段１では、第２の床３の上の水は、図１中矢印で示すように、突部４１により下り階段部３０に誘導される。この下り階段部３０に誘導された水は、段差４０により、上り階段部２０を流れず、上り階段部２０よりも低い下り階段部３０を流れる。
【００２６】
本実施形態によれば、以下のような効果がある。
（１）第２の床３の上の水は、上り階段部２０を流れず、上り階段部２０よりも低い下り階段部３０を流れる。よって、避難者は上り階段部２０を上ることで、流れ込む水で足元をすくわれたり、足元が見えづらくなって転倒したりするのを防いで、迅速に避難できる。
【００２７】
（２）側溝を設けたので、第２の床から階段に流入する水の一部は、側溝を流れて第１の床に流れる。よって、階段の幅が狭くても、階段に流入する水を確実に排水できる。
【００２８】
（３）第１の床２の上り階段部２０と下り階段部３０との境界に床仕切壁４を設けたので、この床仕切壁４により、下り階段部３０に排出された水が再び上り階段部２０側に流れ込むのを防止できる。
【００２９】
〔第２実施形態〕
図２は、本発明の第２実施形態に係る階段１Ａの斜視図である。
階段１Ａは、地下から地上出入口に向かう鉄筋コンクリート造の階段であり、第１の床２から第１の床２よりも高い位置にある第２の床３まで延びている。
この階段１Ａは、第１の床２から第２の床３まで延びる既存の階段５０と、この既存の階段５０の各段１０を覆う複数の被覆部材６０と、第２の床３の上り階段部２０寄りの位置を覆う突部としての被覆部材８０と、を備える。
【００３０】
既存の階段５０の各段１０は、踏面１１と蹴上面１２とで構成された凸部となっている。また、この既存の階段５０は、昇降方向に沿って上り階段部２０と下り階段部３０とに区画されている。
【００３１】
被覆部材６０は、それぞれ、上り階段部２０の踏面１１および蹴上面１２を覆う断面略Ｌ字形状であり、上り階段部２０の幅方向に延びている。
被覆部材６０は、上り階段部２０の幅方向に略水平に延びる平板状の水平部６１と、この水平部６１の一端側から上り階段部２０の幅方向に略鉛直に延びる平板状の鉛直部６２と、を備える。
【００３２】
水平部６１は、上り階段部２０の踏面１１に当接して配置され、鉛直部６２は、上り階段部２０の蹴上面１２に当接して配置される。これにより、水平部６１の上面は、上り階段部２０の新たな踏面７１となり、鉛直部６２の側面は、上り階段部２０の新たな蹴上面７２となる。
【００３３】
よって、上り階段部２０の新たな踏面７１は、隣り合う下り階段部３０の踏面１１よりも一段高くなり、この上り階段部２０の踏面７１と下り階段部３０の踏面１１との間には、段差４０が形成される。
また、上り階段部２０の蹴上面７２は、隣り合う下り階段部３０の蹴上面１２よりも一段前方に突出し、この上り階段部２０の蹴上面１２と下り階段部３０の蹴上面１２との間にも、段差４０が形成される。
【００３４】
被覆部材８０は、被覆部材６０と同様の構成であり、第２の床３の上り階段部２０寄りの部分および上り階段部２０の最上段の蹴上面１２を覆っている。これにより、この被覆部材８０は、第２の床３よりも上方に突出している。
【００３５】
また、第１の床２の上り階段部２０側と下り階段部３０側との境界には、第１の床２の床面から所定高さを有する鉄筋コンクリート造の床仕切壁４が設けられている。この床仕切壁４は、最下段の被覆部材６０の側面に当接している。
【００３６】
以上の階段１Ａは、以下の手順で構築される。
すなわち、予め、プレキャストコンクリート製の被覆部材６０を複数製造しておく。次に、被覆部材６０を現場に運搬し、既存の階段５０の各段１０に載置する。その後、第１の床２上に床仕切壁４を構築する。
【００３７】
以上の階段１Ａでは、第２の床３の上の水は、図２中矢印で示すように、被覆部材８０により下り階段部３０に誘導される。この下り階段部３０に誘導された水は、被覆部材６０により、上り階段部２０を流れず、上り階段部２０よりも低い下り階段部３０を流れる。
【００３８】
本実施形態によれば、以下のような効果がある。
（４）、第２の床３の上の水は、上り階段部２０を流れず、上り階段部２０よりも低い下り階段部３０を流れる。よって、避難者は上り階段部２０を上ることで、流れ込む水で足元をすくわれたり、足元が見えづらくなって転倒したりするのを防いで、迅速に避難できる。
また、予め被覆部材６０を製作しておき、この被覆部材６０を運搬して既存の階段５０の各段１０に取り付けるだけで、上り階段部２０に流入した水を下り階段部３０に排水できるので、建物の改修工事に容易に適用できる。
【００３９】
（５）第１の床２の上り階段部２０と下り階段部３０との境界に床仕切壁４を設けたので、この床仕切壁４により、下り階段部３０に排出された水が再び上り階段部２０側に流れ込むのを防止できる。
【００４０】
なお、本発明は前記実施形態に限定されるものではなく、本発明の目的を達成できる範囲での変形、改良等は本発明に含まれるものである。
【符号の説明】
【００４１】
１、１Ａ…階段
２…第１の床
３…第２の床
４…床仕切壁
５…側溝
６…側溝仕切壁
１０…段
１１…踏面
１２…蹴上面
２０…上り階段部
２１…上り階段部の踏面
２２…上り階段部の蹴上面
３０…下り階段部
３１…下り階段部の踏面
３２…下り階段部の蹴上面
４０…段差
４１…突部
５０…既存の階段
６０…被覆部材
６１…水平部
６２…鉛直部
７１…上り階段部の新たな踏面
７２…上り階段部の新たな蹴上面
８０…被覆部材（突部）
【図１】
0005641579.tif 000002
【図２】
0005641579.tif 000003